(57)【要約】【課題】バリアフリー型の浴室において小物類の収納場所を提供し、幼児の浴槽内への転落事故等を防ぐことのできる浴槽カウンター構造を提供する。【解決手段】浴槽Ｂに接し、浴室床面Ｆに設けられるカウンターであって、浴室床面Ｆに延設された収納凹部１とこの収納凹部１に一体的に連設される立ち上がり係合部２と、上記立ち上がり係合部２が係合する浴槽エプロン３と、上記収納凹部１を開閉自在に覆う蓋部５とからなる浴槽カウンター構造Ａ。【選択図】図１
2006061241.tif 000002
【特許請求の範囲】
【請求項１】
浴槽に接し、浴室床面に設けられるカウンターであって、浴室床面に延設された収納凹部とこの収納凹部に一体的に連設される立ち上がり係合部と、上記立ち上がり係合部が係合する浴槽エプロンと、上記収納凹部を開閉自在に覆う蓋部とからなる浴槽カウンター構造。
【請求項２】
上記蓋部の浴室床面側の長手端部を略Ｌ字型に折り曲げて脚部を形成し、上記蓋部で上記収納凹部を覆ってカウンターとするとともに、この脚部を支える支持部が上記収納凹部の浴室床面側の開口縁に設けられた請求項１に記載の浴槽カウンター構造。
【請求項３】
上記立ち上がり係合部と収納凹部との間には、上記蓋部を起立して堰とするために、上記蓋部の浴槽側の長手端部を嵌入する蓋起立嵌入部が凹設された請求項１に記載の浴槽カウンター構造。
【請求項４】
上記収納凹部の底面には水抜き用の排水孔が穿たれ、該排水孔は浴室用の排水管に連通された請求項１に記載の浴槽カウンター構造。
【発明の詳細な説明】
【技術分野】
【０００１】
本発明は、高齢者や子供でも容易に跨いで越えられる浴槽に設けられたカウンターの構造に関する。さらに詳しくは、上記浴槽のエプロンと浴室床面との間に設置されるカウンター構造に関する。
【背景技術】
【０００２】
近年、高齢者や子供が容易に跨いで入浴できるように浴槽のフランジ面を低く設け、浴室床面との段差を少なくしたバリアフリー型の浴室が普及しつつある。このような浴室において、例えば、下記特許文献には、洗面器等を置くカウンターをフランジ面よりやや下方に設置して高齢者や子供が洗面器等を使用し易いように配慮した浴室用カウンター構造が提案されている。
【特許文献１】特開平７−２０４１１６号公報（第１−３頁、第１図）
【発明の開示】
【発明が解決しようとする課題】
【０００３】
しかしながら、上記浴槽と浴室床面との段差を少なくした浴室においては、セッケン、ブラシ等入浴用の小物類の収納場所が少なく、また、段差が少ないため、幼児が誤って浴槽内に転落する等の問題がある。本発明は上記問題を解決して入浴用の小物類の収納場所を提供するとともに、幼児の浴槽内への転落事故等を防ぐことのできる浴槽カウンター構造を提供することを、その課題とする。
【課題を解決するための手段】
【０００４】
上記した課題を解決するために、本発明においては、つぎのような技術的手段を講じている。すなわち、本発明によれば、浴槽に接し、浴室床面に設けられるカウンターであって、浴室床面に延設された収納凹部とこの収納凹部に一体的に連設される立ち上がり係合部と、上記立ち上がり係合部が係合する浴槽エプロンと、上記収納凹部を開閉自在に覆う蓋部とからなる浴槽カウンター構造が提供される。浴室としては、とくに、限定されるものではないが、ユニットバスに好ましく適用され、床パンを一体成形するとともに、蓋部を配設することが好ましい。
【０００５】
上記蓋部の浴室床面側の長手端部を略Ｌ字型に折り曲げて脚部を形成し、上記蓋部で上記収納凹部を覆ってカウンターとするとともに、この脚部を支える支持部が上記収納凹部の浴室床面側の開口縁に延設されることが好ましい。さらに、上記支持部の浴室床面側に係止部を長手方向に上向きに突設し、蓋部を外れないようにしっかりと保持することが好ましい。
【０００６】
上記立ち上がり係合部と収納凹部との間には、上記蓋部を起立して堰とするために、上記蓋部の浴槽側の長手端部を嵌入する蓋起立嵌入部が凹設されることが好ましい。さらに、上記収納凹部の底面には水抜き用の排水孔が穿たれ、該排水孔は浴室用の排水管に連通されることが好ましい。
【発明の効果】
【０００７】
請求項１に記載の発明は上記のとおりであり、収納凹部を浴室床面に延設して入浴用の小物類の収納場所を提供できるとともに、上記収納凹部を蓋部でカバーし、この蓋部でカウンターを形成することができる。
【０００８】
上記蓋部の浴室床面側の長手端部を略Ｌ字型に折り曲げて脚部を形成し、上記蓋部で上記収納凹部を覆ってカウンターとするとともに、この脚部が上記収納凹部の浴室床面側の開口縁に設けられた支持部でしっかりと支持されるため、浴槽に入るときの踏み台としたり、腰掛けとすることができる。
【０００９】
上記立ち上がり係合部と収納凹部との間には、上記蓋部の浴槽側の長手端部を嵌入する蓋起立嵌入部が凹設され、上記蓋部を起立して堰とすることができるため、幼児が誤って浴槽へ落ちる等の危険を防止できる。また、上記収納凹部の底面には水抜き用の排水孔が穿たれるとともに、該排水孔は浴室用の排水管に連通されるため、上記収納凹部内に水が溜まることはなく、常に清潔に保つことができる。
【発明を実施するための最良の形態】
【００１０】
以下、本発明の実施形態について図面を参照して、詳細に説明する。図１は、本発明にかかる浴槽カウンター構造Ａを示す分解側面図である。図１からよくわかるように、上記浴槽カウンター構造Ａは、浴槽Ｂに接して浴室床面Ｆに設けられ、浴室床面Ｆに一体的に延設された収納凹部１とこの収納凹部１に連設される立ち上がり係合部２と上記収納凹部１を開閉自在に覆う蓋部５とからなり、蓋部５の浴室床面側の長手端部は略Ｌ字型に折り曲げられ、脚部５１を形成している。上記立ち上がり係合部２は、浴槽エプロン３に係合するとともに、この立ち上がり係合部２と収納凹部１との間には、上記蓋部５の端部を嵌入して起立させるための蓋起立嵌入部４が凹設され、収納凹部１の浴室床面Ｆ側には上記蓋部５の脚部５１を支える支持部１１が設けられている。
【００１１】
図２は、上記浴槽カウンター構造Ａの収納凹部１を蓋部５が覆った状態を示す側断面図である。図２からよくわかるように、蓋部５は、その浴槽側の長手方向の端縁を蓋起立嵌入部４の開口端４１、４２で支持され、カウンターを形成するとともに、脚部５１は、上記支持部１１で支えられ、支持部１１の浴室床面Ｆ側に突設された係止部１２で外れないようにしっかりと保持される。また、収納凹部１の底面には水抜き用の排水孔１３が穿たれ、この排水孔１３は図示しない排水管により浴室の排水管に連通している。
【００１２】
図３は、上記浴槽カウンター構造Ａの蓋部５を起立させ、浴槽側の長手端部を蓋起立嵌入部４に嵌入した状態を示す側断面図である。このとき、蓋部５は、浴槽Ｂの堰としての役割を果たし、幼児が誤って浴槽へ落ちる等の危険を防止する。図４は、上記浴槽カウンター構造Ａの収納凹部１を蓋部５で覆い、カウンターとして利用する状態を示す平面図である。図４から、本発明にかかる浴槽カウンター構造Ａが浴槽Ｂに接し、浴室床面Ｆに設けられるとともに、蓋部５が収納凹部１を体裁よくカバーし、セッケン、ブラシ等入浴用の小物類を収納するとともに、入浴時の腰掛けとして、あるいは踏み台としても利用できることがよくわかる。
【図面の簡単な説明】
【００１３】
【図１】本発明にかかる浴槽カウンター構造を示す分解斜視図である。
【図２】上記浴槽カウンター構造の収納凹部を蓋部で覆いカウンターとした状態を示す側断面図である。
【図３】上記浴槽カウンター構造の蓋部の長手端部を蓋起立嵌入部に嵌入し、起立させた状態を示す側断面図である。
【図４】上記浴槽カウンター構造の収納凹部を蓋部で覆い、カウンターとした状態を示す平面図である。
【符号の説明】
【００１４】
Ａ          本発明にかかる浴槽カウンター構造
Ｂ          浴槽
Ｆ          浴室床面
１          収納凹部
１１        支持部
１２        係止部
１３        排水孔
２          立ち上がり係合部
３          浴槽エプロン
４          蓋起立嵌入部
４１        上記の開口端
４２        上記の開口端
５          蓋部
５１        脚部
【図１】
2006061241.tif 000003
【図２】
2006061241.tif 000004
【図３】
2006061241.tif 000005
【図４】
2006061241.tif 000006